Podtech/llm-jp-corpus-v4-ja_patent huggingface dataset:
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
クライアント端末と通信可能に接続され、当該クライアント端末に対してゲームサービスを提供するサーバ装置であって、
当該サーバ装置は、所定のプログラムを実行可能な１又は複数のプロセッサを備え、
前記所定のプログラムは、
第１ゲームアプリケーションプログラムを実行する前記クライアント端末から提供される、プレイヤによる第１ゲームの進行に関する第１ゲーム進行データに基づいて、当該第１ゲームの進行を管理する進行管理モジュールと、
前記第１ゲームの進行に応じて、前記クライアント端末に対して第１オブジェクトを生成するための第１オブジェクト生成データを提供するデータ提供モジュールと、
前記第１ゲームにおいて前記第１オブジェクトが選択されることにより前記クライアント端末に第２ゲームを実行させる第２ゲームアプリケーションプログラムへの切替処理が開始された場合に、当該クライアント端末から前記第２ゲームへの切替処理が行われたことを示す第１ゲーム切替通知を受け付ける受付モジュールと、
前記第１ゲーム切替通知に応じて前記プレイヤに対して第１報酬を付与する報酬付与モジュールと、を備え、
前記報酬付与モジュールは、第１期間に前記プレイヤに付与された前記第１報酬が第１上限を超えた場合には、当該第１期間が経過するまで当該プレイヤに対する前記第１報酬の付与を中止することを特徴とするサーバ装置。
【請求項２】
クライアント端末と通信可能に接続され、当該クライアント端末に対してゲームサービスを提供するサーバ装置であって、
当該サーバ装置は、所定のプログラムを実行可能な１又は複数のプロセッサを備え、
前記所定のプログラムは、
第１ゲームアプリケーションプログラムを実行する前記クライアント端末から提供される、プレイヤによる第１ゲームの進行に関する第１ゲーム進行データに基づいて、当該第１ゲームの進行を管理する進行管理モジュールと、
前記第１ゲームの進行に応じて、前記クライアント端末に対して第１オブジェクトを生成するための第１オブジェクト生成データを提供するデータ提供モジュールと、
前記第１ゲームにおいて前記第１オブジェクトが選択されることにより前記クライアント端末に第２ゲームを実行させる第２ゲームアプリケーションプログラムへの切替処理が開始された場合に、当該クライアント端末から前記第２ゲームへの切替処理が行われたことを示す第１ゲーム切替通知を受け付ける受付モジュールと、
前記第１ゲーム切替通知に応じて前記プレイヤに対して第１報酬を付与する報酬付与モジュールと、を備え、
前記データ提供モジュールは、前記第１ゲームにおいて前記プレイヤが所定のマイルストーンよりも進んでいる場合に前記クライアント端末に対して前記第１オブジェクト生成データを提供するように構成されるサーバ装置。
【請求項３】
前記データ提供モジュールは、前記第１ゲームにおいて前記プレイヤのレベルが所定値以上の場合に前記クライアント端末に対して前記第１オブジェクト生成データを提供するように構成される、請求項２に記載のサーバ装置。
【請求項４】
前記第１報酬は、前記第１ゲームで利用可能な第１インゲーム報酬を含む、請求項１から請求項３のいずれか１項に記載のサーバ装置。
【請求項５】
前記第１報酬は、前記第２ゲームで利用可能な第２インゲーム報酬を含む、請求項４に記載のサーバ装置。
【請求項６】
前記第１報酬は、前記第１ゲーム及び前記第２ゲーム外で利用される報酬である、請求項１から請求項３のいずれか１項に記載のサーバ装置。
【請求項７】
前記第２ゲームアプリケーションプログラムへの切替処理は、前記第２ゲームアプリケーションプログラムをアクティベートする処理、前記第２ゲームアプリケーションプログラムを起動する処理、及び前記第２ゲームアプリケーションプログラムのダウンロード処理のいずれか１つであることを特徴とする請求項１から請求項６のいずれか１項に記載のサーバ装置。
【請求項８】
前記第２ゲームアプリケーションプログラムへの切替処理は、前記第２ゲームアプリケーションプログラムが前記クライアント端末に格納されているか否か、及び、前記第２ゲームアプリケーションプログラムが前記クライアント端末において起動されているか否かに応じて、前記第２ゲームアプリケーションプログラムをアクティベートする処理、前記第２ゲームアプリケーションプログラムを起動する処理、及び前記第２ゲームアプリケーションプログラムのダウンロード処理のいずれか１つが選択される、請求項７に記載のサーバ装置。
【請求項９】
サーバ装置と通信可能に接続されたクライアント端末において実行されることにより当該クライアント端末に第１ゲームを実行させるゲームアプリケーションプログラムであって、
前記第１ゲームの進行を示すゲーム進行データを前記サーバ装置に提供するデータ提供モジュールと、
前記ゲーム進行データが示す前記第１ゲームの進行に応じて前記サーバ装置から提供される第１オブジェクト生成データに基づいて第１オブジェクトを生成するオブジェクト生成モジュールと、
前記第１オブジェクトを前記第１ゲームのプレイヤに提示するオブジェクト提示モジュールと、
前記第１オブジェクトへの選択操作に応じて、前記クライアント端末に第２ゲームを実行させる第２アプリケーションプログラムへの切替処理を行うゲーム切替モジュールと、
前記切替処理が実行された場合に、前記プレイヤに対して報酬を付与する報酬付与モジュールと、を備え、
前記報酬付与モジュールは、第１期間に前記プレイヤに付与された前記第１報酬が第１上限を超えた場合には、当該第１期間が経過するまで当該プレイヤに対する前記第１報酬の付与を中止するゲームアプリケーションプログラム。
【請求項１０】
サーバ装置と通信可能に接続されたクライアント端末において実行されることにより当該クライアント端末に第１ゲームを実行させるゲームアプリケーションプログラムであって、
前記第１ゲームの進行を示すゲーム進行データを前記サーバ装置に提供するデータ提供モジュールと、
前記ゲーム進行データが示す前記第１ゲームの進行に応じて前記サーバ装置から提供される第１オブジェクト生成データに基づいて第１オブジェクトを生成するオブジェクト生成モジュールと、
前記第１オブジェクトを前記第１ゲームのプレイヤに提示するオブジェクト提示モジュールと、
前記第１オブジェクトへの選択操作に応じて、前記クライアント端末に第２ゲームを実行させる第２アプリケーションプログラムへの切替処理を行うゲーム切替モジュールと、
前記切替処理が実行された場合に、前記プレイヤに対して報酬を付与する報酬付与モジュールと、を備え、
前記データ提供モジュールは、前記第１ゲームにおいて前記プレイヤが所定のマイルストーンよりも進んでいる場合に前記クライアント端末に対して前記第１オブジェクト生成データを提供するように構成されるゲームアプリケーションプログラム。
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられ、遊技球の入球が抽選の契機となる始動入賞口と、
前記始動入賞口への入球を契機として、通常遊技より遊技者に有利な状態である特別遊技へ移行するか否かを判定するための抽選値に基づいて当否判定を実行する当否判定手段と、
前記当否判定の結果を示すための図柄が変動表示される図柄表示装置と、
前記図柄の変動表示過程を定める変動パターンを決定する変動パターン決定手段と、
決定された変動パターンにしたがって前記図柄を前記図柄表示装置に変動表示させる表示制御手段と、
演出画像が表示される演出表示装置と、
前記演出表示装置に表示させる演出を決定する演出決定手段と、
前記演出決定手段により決定された演出を前記演出表示装置に表示させる演出表示制御手段と、
を備え、
前記変動パターンは、複数の変動時間で構成される複数の主変動パターンと、前記複数の主変動パターンに対して所定の変動時間を付加する複数の変動付加パターンとから構成され、
前記複数の変動付加パターンとして、第１変動時間で構成された第１変動付加パターンと、第２変動時間で構成された第２変動付加パターンとを有し、
前記第１変動時間は、前記複数の変動付加パターンを構成する変動時間の中で最短の変動時間であり、前記第２変動時間は、前記複数の変動付加パターンを構成する変動時間の中で最長の変動時間であり、
前記変動パターンは、主変動パターンと変動付加パターンとからなるパターンにおいて、主変動パターンの変動時間の方が変動付加パターンの変動時間よりも相対的に長くなるように構成され、
前記当否判定の結果として特別遊技に移行しないことが決定された場合に選択可能な所定の主変動パターンの方が、前記当否判定の結果として特別遊技に移行することが決定された場合に選択可能な所定の主変動パターンよりも、前記第１変動付加パターンが相対的に付加され易い一方、前記当否判定の結果として特別遊技に移行することが決定された場合に選択可能な所定の主変動パターンの方が、前記当否判定の結果として特別遊技に移行しないことが決定された場合に選択可能な所定の主変動パターンよりも、前記第２変動付加パターンが相対的に付加され易く構成される弾球遊技機。
【手続補正２】
【補正対象書類名】明細書
【補正対象項目名】０００６
【補正方法】変更
【補正の内容】
【０００６】
上記課題を解決するために、本発明のある態様の弾球遊技機は、遊技領域が形成された遊技盤と、前記遊技領域の所定位置に設けられ、遊技球の入球が抽選の契機となる始動入賞口と、前記始動入賞口への入球を契機として、通常遊技より遊技者に有利な状態である特別遊技へ移行するか否かを判定するための抽選値に基づいて当否判定を実行する当否判定手段と、前記当否判定の結果を示すための図柄が変動表示される図柄表示装置と、前記図柄の変動表示過程を定める変動パターンを決定する変動パターン決定手段と、決定された変動パターンにしたがって前記図柄を前記図柄表示装置に変動表示させる表示制御手段と、演出画像が表示される演出表示装置と、前記演出表示装置に表示させる演出を決定する演出決定手段と、前記演出決定手段により決定された演出を前記演出表示装置に表示させる演出表示制御手段と、を備え、前記変動パターンは、複数の変動時間で構成される複数の主変動パターンと、前記複数の主変動パターンに対して所定の変動時間を付加する複数の変動付加パターンとから構成され、前記複数の変動付加パターンとして、第１変動時間で構成された第１変動付加パターンと、第２変動時間で構成された第２変動付加パターンとを有し、前記第１変動時間は、前記複数の変動付加パターンを構成する変動時間の中で最短の変動時間であり、前記第２変動時間は、前記複数の変動付加パターンを構成する変動時間の中で最長の変動時間であり、前記変動パターンは、主変動パターンと変動付加パターンとからなるパターンにおいて、主変動パターンの変動時間の方が変動付加パターンの変動時間よりも相対的に長くなるように構成され、前記当否判定の結果として特別遊技に移行しないことが決定された場合に選択可能な所定の主変動パターンの方が、前記当否判定の結果として特別遊技に移行することが決定された場合に選択可能な所定の主変動パターンよりも、前記第１変動付加パターンが相対的に付加され易い一方、前記当否判定の結果として特別遊技に移行することが決定された場合に選択可能な所定の主変動パターンの方が、前記当否判定の結果として特別遊技に移行しないことが決定された場合に選択可能な所定の主変動パターンよりも、前記第２変動付加パターンが相対的に付加され易く構成される。
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
所定条件の成立に基づいて有利状態とするか否かを判定する判定手段と、
前記判定手段による判定の結果に基づいて可変表示を行う可変表示手段と、
前記可変表示手段による可変表示を行い導出表示された結果に基づいて有利状態に制御する有利状態制御手段と、
前記導出表示された結果が表示されてから前記有利状態に制御されるまでの間のオープニング時間を設定するオープニング時間設定手段と、
複数種類のモード演出のうちいずれかのモード演出を実行するモード演出実行手段と、
を備え、
前記モード演出実行手段により特別のモード演出が実行されている場合、前記オープニング時間設定手段により設定されるオープニング時間において演出を実行し、前記有利状態中に前記演出とは異なる前記有利状態であることを認識させる特定演出を実行する前記有利状態となり、
前記モード演出実行手段により特定のモード演出が実行されている場合、前記オープニング時間設定手段により設定されるオープニング時間において前記特別のモード演出が実行されている場合のオープニング時間に実行される前記演出を実行することなく前記可変表示手段による可変表示が行われているときに実行されていた演出を継続し、前記有利状態中に前記有利状態であることを認識させる前記特定演出を実行することなく前記有利状態に制御されていることを認識させない前記有利状態となり、
前記有利状態は大当り状態と小当り状態とを含み、前記モード演出実行手段により前記特別のモード演出が実行されている場合には前記小当り状態に制御される際に小当り状態時専用の停止図柄が表示されないが前記特定のモード演出が実行されている場合には前記小当り状態に制御される際に前記小当り状態時専用の停止図柄が表示される
ことを特徴とする遊技機。
【手続補正２】
【補正対象書類名】明細書
【補正対象項目名】０００７
【補正方法】変更
【補正の内容】
【０００７】
こうした目的を達成するため、請求項１に記載の発明では、所定条件の成立に基づいて有利状態とするか否かを判定する判定手段と、
前記判定手段による判定の結果に基づいて可変表示を行う可変表示手段と、
前記可変表示手段による可変表示を行い導出表示された結果に基づいて有利状態に制御する有利状態制御手段と、
前記導出表示された結果が表示されてから前記有利状態に制御されるまでの間のオープニング時間を設定するオープニング時間設定手段と、
複数種類のモード演出のうちいずれかのモード演出を実行するモード演出実行手段と、
を備え、
前記モード演出実行手段により特別のモード演出が実行されている場合、前記オープニング時間設定手段により設定されるオープニング時間において演出を実行し、前記有利状態中に前記演出とは異なる前記有利状態であることを認識させる特定演出を実行する前記有利状態となり、
前記モード演出実行手段により特定のモード演出が実行されている場合、前記オープニング時間設定手段により設定されるオープニング時間において前記特別のモード演出が実行されている場合のオープニング時間に実行される前記演出を実行することなく前記可変表示手段による可変表示が行われているときに実行されていた演出を継続し、前記有利状態中に前記有利状態であることを認識させる前記特定演出を実行することなく前記有利状態に制御されていることを認識させない前記有利状態となり、
前記有利状態は大当り状態と小当り状態とを含み、前記モード演出実行手段により前記特別のモード演出が実行されている場合には前記小当り状態に制御される際に小当り状態時専用の停止図柄が表示されないが前記特定のモード演出が実行されている場合には前記小当り状態に制御される際に前記小当り状態時専用の停止図柄が表示されるようにしたことを要旨とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
遊技領域内の第一入賞領域への遊技媒体の入賞に基づき第一抽選を実行する第一抽選実行手段と、
遊技領域内の第二入賞領域への遊技媒体の入賞に基づき第二抽選を実行する第二抽選実行手段と、
前記第一抽選又は前記第二抽選に基づいて図柄の変動表示を実行可能な変動表示実行手段と、
前記第一抽選又は前記第二抽選に基づき、遊技状態に応じて異なる確率にて遊技利益を付与可能な第一特定遊技を実行する第一特定遊技実行手段と、
前記第二抽選に基づき、遊技状態に拘らず一定確率にて前記第一特定遊技よりも少ない遊技利益を付与可能な第二特定遊技を実行する第二特定遊技実行手段と、
前記第一特定遊技の実行を契機に遊技状態を通常の遊技状態とは異なる特定の遊技状態に移行させる特定遊技状態移行手段と、
遊技状態に拘らず前記第二特定遊技が実行される確率が一定とされるなかで、前記通常の遊技状態における前記第二抽選に基づいて実行され得る変動表示を長時間とすることで当該第二特定遊技の実行頻度を抑制する抽選頻度抑制手段と、
遊技状態に拘らず前記第二特定遊技が実行される確率が一定とされるなかで、前記特定の遊技状態における前記第二抽選に基づいて実行され得る変動表示を前記長時間よりも短い短時間とすることで当該第二特定遊技の実行頻度を高める抽選頻度向上手段と、
を備え、
前記第二抽選に基づいて実行される前記第一特定遊技において付与される遊技利益よりも、前記抽選頻度向上手段によって前記第二抽選に基づく変動表示が前記短時間とされる期間中にて実行される前記第二特定遊技において付与される遊技利益のほうが多くなり得るものであり、
前記第二抽選に基づく変動表示の実行中に前記第一抽選に基づく変動表示を実行可能であり、
前記抽選頻度抑制手段により長時間とされた前記第二抽選に基づく変動表示の実行中に、前記第一抽選に基づく変動表示によって前記第一特定遊技が実行される特定図柄が停止される場合には、実行されている前記第二抽選に基づく変動表示が途中であっても、当該特定図柄が停止されるタイミングで前記第二抽選に基づく変動表示を停止させ得る
ことを特徴とする遊技機。
【手続補正２】
【補正対象書類名】明細書
【補正対象項目名】０００６
【補正方法】変更
【補正の内容】
【０００６】
本発明の代表的な遊技機の一形態では、遊技領域内の第一入賞領域への遊技媒体の入賞に基づき第一抽選を実行する第一抽選実行手段と、遊技領域内の第二入賞領域への遊技媒体の入賞に基づき第二抽選を実行する第二抽選実行手段と、前記第一抽選又は前記第二抽選に基づいて図柄の変動表示を実行可能な変動表示実行手段と、前記第一抽選又は前記第二抽選に基づき、遊技状態に応じて異なる確率にて遊技利益を付与可能な第一特定遊技を実行する第一特定遊技実行手段と、前記第二抽選に基づき、遊技状態に拘らず一定確率にて前記第一特定遊技よりも少ない遊技利益を付与可能な第二特定遊技を実行する第二特定遊技実行手段と、前記第一特定遊技の実行を契機に遊技状態を通常の遊技状態とは異なる特定の遊技状態に移行させる特定遊技状態移行手段と、遊技状態に拘らず前記第二特定遊技が実行される確率が一定とされるなかで、前記通常の遊技状態における前記第二抽選に基づいて実行され得る変動表示を長時間とすることで当該第二特定遊技の実行頻度を抑制する抽選頻度抑制手段と、遊技状態に拘らず前記第二特定遊技が実行される確率が一定とされるなかで、前記特定の遊技状態における前記第二抽選に基づいて実行され得る変動表示を前記長時間よりも短い短時間とすることで当該第二特定遊技の実行頻度を高める抽選頻度向上手段と、を備え、前記第二抽選に基づいて実行される前記第一特定遊技において付与される遊技利益よりも、前記抽選頻度向上手段によって前記第二抽選に基づく変動表示が前記短時間とされる期間中にて実行される前記第二特定遊技において付与される遊技利益のほうが多くなり得るものであり、前記第二抽選に基づく変動表示の実行中に前記第一抽選に基づく変動表示を実行可能であり、前記抽選頻度抑制手段により長時間とされた前記第二抽選に基づく変動表示の実行中に、前記第一抽選に基づく変動表示によって前記第一特定遊技が実行される特定図柄が停止される場合には、実行されている前記第二抽選に基づく変動表示が途中であっても、当該特定図柄が停止されるタイミングで前記第二抽選に基づく変動表示を停止させ得ることを特徴とする。
【手続補正３】
【補正対象書類名】明細書
【補正対象項目名】０００７
【補正方法】削除
【補正の内容】
【手続補正書】
【提出日】令和1年6月17日(2019.6.17)
【手続補正１】
【補正対象書類名】特許請求の範囲
【補正対象項目名】請求項２
【補正方法】変更
【補正の内容】
【請求項２】
請求項１に記載のモノブロック部品（１０）であって、空気力学的システム（４０）は、以下の要素：コントロールドシャッター用のフレーム、エアガイド（４４）、サブフレームディフレクター（４６）、及びプレート（４８）のうちの少なくとも１つを、単独で或いは組み合わせで備える、モノブロック部品（１０）。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
一方向を中心軸とした中空部を有する筒状部材で構成され、筒状部（４ｂ）、および、前記筒状部の一端において前記中心軸に対する径方向寸法が前記筒状部よりも大きくされたフランジ（４ａ）を有し、前記フランジのうちの前記筒状部と反対側の一面を表面（４ｃ）、前記フランジのうちの前記筒状部側の一面を裏面（４ｄ）とするベゼル（４）と、
超音波振動子（１０）を備え、前記超音波振動子を含む一部が前記ベゼルの中空部内に挿入された状態で前記ベゼルと一体とされるセンサ本体（３）と、
前記フランジの裏面に配置され、弾性体にて構成されることで前記超音波振動子の振動の伝達を抑制する振動抑制部材（６）と、を備え、
前記振動抑制部材は、前記ベゼルの中心軸を囲むように前記ベゼルを一周囲む円環状とされたＯリングであり、
前記フランジの裏面には、前記Ｏリングの一部が入り込む環状溝（４ｇ）が形成されている超音波センサ。
【請求項２】
前記ベゼルのうちの前記筒状部が車体部品（２）に形成された穴部（２ａ）に対して挿入されると共に、前記フランジの裏面が前記車体部品側に向けられるようにして、前記車体部品に固定され、前記振動抑制部材が前記フランジと前記車体部品との間に配置される請求項１に記載の超音波センサ。
【請求項３】
前記車体部品として金属製のバンパー（２）に対して取り付けられる請求項２に記載の超音波センサ。
【請求項４】
一方向を中心軸とした中空部を有する筒状部材で構成され、筒状部（４ｂ）、および、前記筒状部の一端において前記中心軸に対する径方向寸法が前記筒状部よりも大きくされたフランジ（４ａ）を有し、前記フランジのうちの前記筒状部と反対側の一面を表面（４ｃ）、前記フランジのうちの前記筒状部側の一面を裏面（４ｄ）とするベゼル（４）と、
超音波振動子（１０）を備え、前記超音波振動子を含む一部が前記ベゼルの中空部内に挿入された状態で前記ベゼルと一体とされるセンサ本体（３）と、を有し、
前記ベゼルのうちの前記筒状部が車体部品（２）に形成された穴部（２ａ）に対して挿入されると共に、前記フランジの裏面が前記車体部品側に向けられるようにして、前記車体部品に固定される超音波センサであって、
前記フランジの裏面には、該裏面の全面が前記車体部品に接するよりも接触面積を減らす凹凸部（４ｈ）が形成されており、
前記凹凸部は、前記フランジの裏面から突き出た突起部（４ｈ）であって、前記フランジの中心軸を囲む円環状とされている超音波センサ。
【請求項５】
前記車体部品として金属製のバンパー（２）に対して取り付けられる請求項４に記載の超音波センサ。
【手続補正２】
【補正対象書類名】明細書
【補正対象項目名】０００７
【補正方法】変更
【補正の内容】
【０００７】
請求項１に記載の発明では、一方向を中心軸とした中空部を有する筒状部材で構成され、筒状部（４ｂ）、および、筒状部の一端において中心軸に対する径方向寸法が筒状部よりも大きくされたフランジ（４ａ）を有し、フランジのうちの筒状部と反対側の一面を表面（４ｃ）、フランジのうちの筒状部側の一面を裏面（４ｄ）とするベゼル（４）と、超音波振動子（１０）を備え、超音波振動子を含む一部がベゼルの中空部内に挿入された状態でベゼルと一体とされるセンサ本体（３）と、フランジの裏面に配置され、弾性体にて構成されることで超音波振動子の振動の伝達を抑制する振動抑制部材（６）と、を備え、振動抑制部材は、ベゼルの中心軸を囲むように前記ベゼルを一周囲む円環状とされたＯリングであり、フランジの裏面には、Ｏリングの一部が入り込む環状溝（４ｇ）が形成された超音波センサとされている。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
車両の運転モードを手動運転モードと自動運転モードとの間で切り替えるモード切替を支援する支援装置であって、
前記車両の周辺状況を示す周辺データを取得する取得部と、
前記取得された周辺データに基づいて、前記モード切替の推奨される位置であるモード切替推奨位置を計算する計算部と、
操作者による前記モード切替の意思表示を受けると、前記モード切替推奨位置を含む前記モード切替のための切替区間を、前記車両の走行する道路に沿って設定する設定部と、
前記モード切替推奨位置と、前記設定された切替区間とを前記車両の運転者に通知する通知部と、
を具備する、支援装置。
【請求項２】
前記取得部は、ディジタルマップデータを記憶するデータベースから、前記車両の周辺のマップデータを取得し、
前記計算部は、前記取得されたマップデータに基づいて、前記モード切替推奨位置を計算する、請求項１に記載の支援装置。
【請求項３】
前記計算部は、
前記マップデータから前記車両の進行方向の道路の曲率を計算し、当該曲率を判定基準として前記モード切替推奨位置を計算する、請求項２に記載の支援装置。
【請求項４】
さらに、公共交通情報を受信する受信部を具備し、
前記計算部は、前記受信された公共交通情報に基づいて、前記モード切替推奨位置を計算する、請求項１に記載の支援装置。
【請求項５】
前記計算部は、
前記公共交通情報から取得される前記車両の進行方向の渋滞状況を判定基準として前記モード切替推奨位置を計算する、請求項４に記載の支援装置。
【請求項６】
前記通知部は、前記車両の周辺のマップ画像に前記モード切替推奨位置を重ねて表示器に表示する、請求項１に記載の支援装置。
【請求項７】
前記通知部は、前記モード切替推奨位置に至るまでの時間を前記車両の運転者に音声で通知する、請求項１に記載の支援装置。
【請求項８】
前記計算部は、前記モード切替の推奨の度合いを数値化した指標の前記切替区間における分布を計算し、
前記通知部は、前記指標の値を前記車両の周辺のマップ画像における表示色に対応付けてカラーマップ表示する、請求項１に記載の支援装置。
【請求項９】
車両の運転モードを手動運転モードと自動運転モードとの間で切り替えるモード切替をコンピュータにより支援する支援方法であって、
前記コンピュータが、前記車両の周辺状況を示す周辺データを取得する過程と、
前記コンピュータが、前記取得された周辺データに基づいて、前記モード切替の推奨される位置であるモード切替推奨位置を計算する過程と、
前記コンピュータが、操作者による前記モード切替の意思表示を受けると、前記モード切替推奨位置を含む前記モード切替のための切替区間を、前記車両の走行する道路に沿って設定する過程と、
前記コンピュータが、前記モード切替推奨位置と、前記設定された切替区間とを前記車両の運転者に通知する過程と、
を具備する、支援方法。
【請求項１０】
コンピュータを、請求項１乃至８のいずれか１項に記載の支援装置として機能させるためのプログラム。
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
基板にパターンを形成するリソグラフィ装置であって、
前記基板を回転可能に保持する第１ステージと、
前記第１ステージで調整された前記基板の回転方向を維持した状態で前記第１ステージから搬送される前記基板を回転可能に保持する第２ステージと、
前記第２ステージに前記基板が保持された状態において前記基板上のショット領域の位置を計測する計測部と、
前記計測部の計測結果に基づいて、前記第２ステージに前記基板が保持された状態における前記ショット領域の回転方向のずれを許容範囲に収めるために前記基板を回転させる処理を、前記第１ステージ及び前記第２ステージのいずれのステージにより行うかを決定する制御部と、を有し、
前記第２ステージは、前記処理として、前記第２ステージの回転ストロークを超える回転量で前記基板を回転させるために前記回転ストローク内の回転動作を少なくとも２回行うことを特徴とするリソグラフィ装置。
【請求項２】
前記制御部は、前記計測結果から得られる前記処理で必要となる前記基板の回転量に基づいて、前記処理を、前記第１ステージ及び前記第２ステージのいずれのステージで行うかを決定することを特徴とする請求項１に記載のリソグラフィ装置。
【請求項３】
前記制御部は、前記処理を前記第２ステージで行うときに要する時間が前記処理を前記第１ステージで行うときに要する時間より長い場合には、前記処理を前記第１ステージで行うと決定することを特徴とする請求項１又は２に記載のリソグラフィ装置。
【請求項４】
前記第１ステージと前記第２ステージとの間で前記基板を搬送する搬送機構を更に有し、
前記制御部は、前記搬送機構により前記第２ステージから前記第１ステージに前記基板を搬送するために要する時間と、前記第２ステージから搬送された前記基板を前記第１ステージで回転させるために要する時間と、前記第１ステージで回転させた前記基板を前記搬送機構により前記第１ステージから前記第２ステージに搬送するために要する時間との和を、前記処理を前記第１ステージで行うときに要する時間とすることを特徴とする請求項３に記載のリソグラフィ装置。
【請求項５】
前記制御部は、
前記基板を前記計測結果から得られる前記処理で必要となる前記基板の回転量で回転させるために前記第２ステージで必要となる前記回転動作の回数を求め、
前記回数が予め定められた回数以下である場合には、前記処理を前記第２ステージで行うと決定し、
前記回数が前記予め定められた回数より大きい場合には、前記処理を前記第１ステージで行うと決定することを特徴とする請求項２に記載のリソグラフィ装置。
【請求項６】
前記制御部は、
前記計測結果から得られる前記処理で必要となる前記基板の回転量が予め定められた回転量以下である場合には、前記処理を前記第２ステージで行うと決定し、
前記回転量が前記予め定められた回転量より大きい場合には、前記処理を前記第１ステージで行うと決定することを特徴とする請求項２に記載のリソグラフィ装置。
【請求項７】
前記計測結果から得られる前記処理で必要となる前記基板の回転量を記憶する記憶部を更に有し、
前記制御部は、
前記第１ステージに保持された前記基板を前記第２ステージに搬送する前に、前記基板に設けられた外形基準に基づいて前記基板を回転させる準備処理を前記第１ステージで行い、
前記処理を前記第１ステージで行うと決定した場合には、前記処理が前記第１ステージで行われる前記基板に続いて前記パターンが形成される後続基板に対して、前記準備処理に加えて、前記後続基板を前記記憶部に記憶された回転量で回転させる処理を前記第１ステージで行うことを特徴とする請求項２乃至６のうちいずれか１項に記載のリソグラフィ装置。
【請求項８】
基板にパターンを形成するリソグラフィ装置であって、
前記基板を回転可能に保持する第１ステージと、
前記第１ステージで調整された前記基板の位置を維持した状態で前記第１ステージから搬送される前記基板を回転可能に保持する第２ステージと、
前記第２ステージに前記基板が保持された状態において前記基板上のショット領域の位置を計測する計測部と、
前記計測部により計測された前記ショット領域の位置に基づいて求められた、前記ショット領域の配列の回転方向のずれを補正する処理を、前記第１ステージ及び前記第２ステージのいずれのステージにより行うかを決定する制御部と、
を有することを特徴とするリソグラフィ装置。
【請求項９】
前記第２ステージは、前記処理として、前記第２ステージの回転ストロークを超える回転量で前記基板を回転させるために前記回転ストローク内の回転動作を少なくとも２回行うことを特徴とする請求項８に記載のリソグラフィ装置。
【請求項１０】
前記計測部は、前記ショット領域に配置されたマークを検出して前記ショット領域の位置を計測することを特徴とする請求項１乃至９のうちいずれか１項に記載のリソグラフィ装置。
【請求項１１】
マスクのパターンを前記第２ステージに保持された前記基板に投影する投影光学系を更に有することを特徴とする請求項１乃至１０のうちいずれか１項に記載のリソグラフィ装置。
【請求項１２】
前記第２ステージは、前記基板を保持するチャックと、前記基板を前記チャックから上昇させた状態で前記基板を保持するピンとを有し、
前記第２ステージは、前記処理として、前記第２ステージの回転ストロークを超える回転量で前記基板を第１方向に回転させるために前記ピンが前記基板を保持した状態で前記第１方向とは逆の第２方向の回転動作を行うことを特徴とする請求項１乃至１１のうちいずれか１項に記載のリソグラフィ装置。
【請求項１３】
請求項１乃至１２のうちいずれか１項に記載のリソグラフィ装置を用いてパターンを基板に形成する工程と、
前記工程で前記パターンを形成された前記基板を処理する工程と、
処理された前記基板から物品を製造する工程と、
を有することを特徴とする物品の製造方法。
【請求項１４】
前記基板は、カットされたチップを基板上に配置した基板であることを特徴とする請求項１３に記載の物品の製造方法。
【手続補正２】
【補正対象書類名】明細書
【補正対象項目名】０００９
【補正方法】変更
【補正の内容】
【０００９】
上記目的を達成するために、本発明の一側面としてのリソグラフィ装置は、基板にパターンを形成するリソグラフィ装置であって、前記基板を回転可能に保持する第１ステージと、前記第１ステージで調整された前記基板の回転方向を維持した状態で前記第１ステージから搬送される前記基板を回転可能に保持する第２ステージと、前記第２ステージに前記基板が保持された状態において前記基板上のショット領域の位置を計測する計測部と、前記計測部の計測結果に基づいて、前記第２ステージに前記基板が保持された状態における前記ショット領域の回転方向のずれを許容範囲に収めるために前記基板を回転させる処理を、前記第１ステージ及び前記第２ステージのいずれのステージにより行うかを決定する制御部と、を有し、前記第２ステージは、前記処理として、前記第２ステージの回転ストロークを超える回転量で前記基板を回転させるために前記回転ストローク内の回転動作を少なくとも２回行うことを特徴とする。
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
透過性を有する反射部材に画像を投写して観察者に虚像を視認させる画像投写装置であって、
画像を表示する表示デバイスと、少なくとも１枚のレンズ素子を含むレンズ群を有し、前記表示デバイスに表示された前記画像を前記反射部材に投写する投写光学系と、を備え、
前記レンズ群は、前記表示デバイスとの距離を変化させるように光路の方向に移動する駆動レンズを有し、
以下の条件（１）を満足する：
１＜ΔＤ／ΔＬ＜５０  ・・・（１）
ここで、
ΔＤ：１／Ｚ１−１／Ｚ２
Ｚ１：駆動レンズの移動前の虚像の視距離
Ｚ２：駆動レンズの移動後の虚像の視距離
ΔＬ：駆動レンズの移動量
である。
【請求項２】
前記レンズ群は、前記駆動レンズと前記表示デバイスとの間に移動しない固定レンズ群を備え、以下の条件（２）を満足する、請求項１に記載の画像投写装置：
０．１ ＜（１−（1／βＦ）2）×（1／βＲ）2  ＜  ３  ・・・（２）
ここで、
βＦ：駆動レンズの横倍率
βＲ：駆動レンズから表示デバイスまでの間に配置される固定レンズ群の横倍率
である。
【請求項３】
前記駆動レンズは、前記表示デバイスとの距離を縮める方向に移動することにより、視距離を増大させる、
請求項１または２に記載の画像投写装置。
【請求項４】
前記駆動レンズは、前記表示デバイスとの距離を広げる方向に移動することにより、視距離を増大させる、
請求項１または２に記載の画像投写装置。
【請求項５】
前記投写光学系は、前記レンズ群の出射光を前記反射部材に反射するミラーを有する、請求項１から４のいずれかに記載の画像投写装置。
【請求項６】
透過性を有する反射部材に画像を投写して観察者に虚像を視認させる画像投写装置であって、
画像を表示する表示デバイスと、少なくとも１枚のレンズ素子を含むレンズ群を有し、前記表示デバイスに表示された前記画像を前記反射部材に投写する投写光学系と、を備え、
前記レンズ群は、前記表示デバイスとの距離を変化させるように光路の方向に移動する駆動レンズを有し、
以下の条件（１）及び（３）を満足する：
１＜ΔＤ／ΔＬ  ・・・（１）
ΔＬ／ΔＭ  ＜  ３０  ・・・（３）
ここで、
ΔＤ：１／Ｚ１−１／Ｚ２
Ｚ１：駆動レンズの移動前の虚像の視距離
Ｚ２：駆動レンズの移動後の虚像の視距離
ΔＬ：駆動レンズの移動量
ΔＭ：表示デバイスの表示領域における表示画像の移動量
である。
【請求項７】
透過性を有する反射部材に画像を投写して観察者に虚像を視認させる画像投写装置であって、
画像を表示する表示デバイスと、少なくとも１枚のレンズ素子を含むレンズ群を有し、前記表示デバイスに表示された前記画像を前記反射部材に投写する投写光学系と、を備え、
前記レンズ群は、前記表示デバイスとの距離を変化させるように光路の方向に移動する駆動レンズを有し、
以下の条件（１）及び（４）を満足する：
１＜ΔＤ／ΔＬ  ・・・（１）
ΔＮ  ＜  ２  ・・・（４）
ここで、
ΔＤ：１／Ｚ１−１／Ｚ２
Ｚ１：駆動レンズの移動前の虚像の視距離
Ｚ２：駆動レンズの移動後の虚像の視距離
ΔＬ：駆動レンズの移動量
ΔＮ：Ｘ１／Ｘ２
Ｘ１：駆動レンズの移動前における表示デバイスの表示領域に表示する画像の横サイズ
Ｘ２：駆動レンズの移動後における表示デバイスの表示領域に表示する画像の横サイズ
である。
【手続補正２】
【補正対象書類名】明細書
【補正対象項目名】０００５
【補正方法】変更
【補正の内容】
【０００５】
本開示における画像投写装置は、透過性を有する反射部材に画像を投写して観察者に虚像を視認させる画像投写装置である。画像投写装置は、表示デバイスと、投写光学系と、を備える。表示デバイスは、画像を表示する。投写光学系は、少なくとも１枚のレンズ素子を含むレンズ群を有し、表示デバイスに表示された画像を反射部材に投写する。レンズ群は、表示デバイスとの距離を変化させるように光路の方向に移動する駆動レンズを有する。ここで、画像投写装置は、駆動レンズの移動前の虚像の視距離をＺ１、駆動レンズの移動後の虚像の視距離をＺ２、駆動レンズの移動量をΔＬ、１／Ｚ１−１／Ｚ２をΔＤとしたとき、１＜ΔＤ／ΔＬ＜５０の関係を満足する。
また、本開示における画像投写装置は、透過性を有する反射部材に画像を投写して観察者に虚像を視認させる画像投写装置である。画像投写装置は、表示デバイスと、投写光学系と、を備える。表示デバイスは、画像を表示する。投写光学系は、少なくとも１枚のレンズ素子を含むレンズ群を有し、表示デバイスに表示された画像を反射部材に投写する。レンズ群は、表示デバイスとの距離を変化させるように光路の方向に移動する駆動レンズを有する。ここで、画像投写装置は、駆動レンズの移動前の虚像の視距離をＺ１、駆動レンズの移動後の虚像の視距離をＺ２、駆動レンズの移動量をΔＬ、１／Ｚ１−１／Ｚ２をΔＤ、表示デバイスの表示領域における表示画像の移動量をΔＭとしたとき、１＜ΔＤ／ΔＬ及びΔＬ／ΔＭ＜３０の関係を満足する。
また、本開示における画像投写装置は、透過性を有する反射部材に画像を投写して観察者に虚像を視認させる画像投写装置である。画像投写装置は、表示デバイスと、投写光学系と、を備える。表示デバイスは、画像を表示する。投写光学系は、少なくとも１枚のレンズ素子を含むレンズ群を有し、表示デバイスに表示された画像を反射部材に投写する。レンズ群は、表示デバイスとの距離を変化させるように光路の方向に移動する駆動レンズを有する。ここで、画像投写装置は、駆動レンズの移動前の虚像の視距離をＺ１、駆動レンズの移動後の虚像の視距離をＺ２、駆動レンズの移動量をΔＬ、１／Ｚ１−１／Ｚ２をΔＤ、駆動レンズの移動前における表示デバイスの表示領域に表示する画像の横サイズをＸ１、駆動レンズの移動後における表示デバイスの表示領域に表示する画像の横サイズをＸ２、Ｘ１／Ｘ２をΔＮとしたとき、１＜ΔＤ／ΔＬ及びΔＮ＜２の関係を満足する。
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
板状振動体と、当該振動体を起振する圧電体と、一部に開口が設けられ前記振動体の前方を覆って当該振動体との間に共鳴空間を形成する共鳴器と、前記共鳴器と前記開口によって連通する緩衝室と、前記緩衝室から外周側の後方へ反転湾曲する第１通路と、前記第１通路に続いて外周側の前方ないし後方へ反転湾曲する３つ以上の第２通路を備え、最外周の第２通路が前方へ開放し、かつ前記共鳴器の前方に前方へ開放する筒状の中間体を設け、さらに前記中間体を前方から覆うようにカバー体を設けて、前記中間体に形成した筒状防水壁の筒内に進入させた前記カバー体の中心部によって前記第１通路が形成され、前記カバー体に形成されて前記中間体の防水壁の筒内に進入させた筒状防水壁によって、前記共鳴器の開口を中心とする同心状に前記第２通路が形成され、前記最外周の第２通路の開口に、前方から至る雨水の勢いを減殺するルーバーが設けられており、かつ前記最外周の第２通路の開口に近い警音器本体の最下位置に排水孔が設けられている電子式警音器。
【手続補正２】
【補正対象書類名】明細書
【補正対象項目名】０００７
【補正方法】変更
【補正の内容】
【０００７】
上記目的を達成するために、本第１発明では、板状振動体（５１）と、当該振動体（５１）を起振する圧電体（５２）と、一部に開口（７１）が設けられ前記振動体（５１）の前方を覆って当該振動体（５１）との間に共鳴空間（Ｓ）を形成する共鳴器（７）と、前記共鳴器（７）と前記開口（７１）によって連通する緩衝室（ＢＲ）と、前記緩衝室（ＢＲ）から外周側の後方へ反転湾曲する第１通路（Ｐ１）と、前記第１通路（Ｐ１）に続いて外周側の前方ないし後方へ反転湾曲する３つ以上の第２通路（Ｐ２，Ｐ３，Ｐ４）を備え、最外周の第２通路（Ｐ４）が前方へ開放し、かつ前記共鳴器（７）の前方に前方へ開放する筒状の中間体（６）を設け、さらに前記中間体（６）を前方から覆うようにカバー体（８）を設けて、前記中間体（６）に形成した筒状防水壁（６２１）の筒内に進入させた前記カバー体（８）の中心部（８２）によって前記第１通路（Ｐ１）が形成され、前記カバー体（８）に形成されて前記中間体（６）の防水壁（６２２、６３３）の筒内に進入させた筒状防水壁（８３、８４）によって、前記共鳴器（７）の開口（７１）を中心とする同心状に前記第２通路（Ｐ２，Ｐ３，Ｐ４）が形成され、前記最外周の第２通路（Ｐ４）の開口に、前方から至る雨水の勢いを減殺するルーバー（８１）が設けられており、かつ前記最外周の第２通路（Ｐ４）の開口に近い警音器本体の最下位置に排水孔６３２）が設けられている。
【手続補正３】
【補正対象書類名】明細書
【補正対象項目名】０００８
【補正方法】変更
【補正の内容】
【０００８】
本第１発明において、前方へ開放する最外周の第２通路の開口から警音器本体内に雨水が浸入しても、第２通路から第１通路へとカバー体中心部および防水壁によって複数の反転湾曲する通路が警音器中心の緩衝室に向かって形成されているから、緩衝室内に雨水が勢いを保って直接浸入することはなく、雨水が開口を経て共鳴器内へ浸入することは効果的に防止される。また、前方へ開放する最外周の第２通路の開口から雨水が浸入しようとしても、雨水の大部分はルーバーの羽根に当たって最外周の第２通路内への浸入が防止される。さらに、カバー体中。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
画像を表示する表示装置であって、
設置部を含み、少なくとも一部に透光性を有する筐体と、
前記筐体の内部に有し、前記設置部に設置された透光性を有する透光性部材と、
前記透光性部材に前記画像を表示する表示部と、
前記設置部に設置された、光を発光する発光部とを備える。
【請求項２】
請求項１に記載の表示装置であって、
前記発光部は、前記筐体の内部に設置される。
【請求項３】
請求項２に記載の表示装置であって、
前記発光部から発光される前記光は、前記筐体を透過する。
【請求項４】
請求項２または請求項３に記載の表示装置であって、
前記透光性部材は、前記画像が表示される第１面と、前記第１面とは反対側の第２面とを含み、
前記発光部は、前記透光部材の前記第１面の側および前記第２面の側の少なくとも一方の前記設置部に設置される。
【請求項５】
請求項４に記載の表示装置であって、
前記発光部は、前記透光性部材の前記第１面の側の前記設置部に設置された第１発光部と、前記透光部材の前記第２面の側の前記設置部に設置された第２発光部とを含む。
【請求項６】
請求項５に記載の表示装置であって、
前記第１発光部と前記第２発光部とは、前記透光性部材に対して、対称な位置に配置される。
【請求項７】
請求項１から請求項６のいずれか一項に記載の表示装置であって、
前記画像は、キャラクターに関する画像または人物に関する画像を含み、
前記キャラクターまたは前記人物に関連する音を出力する出力部をさらに備える。
【請求項８】
請求項１から請求項７のいずれか一項に記載の表示装置であって、
前記表示部は、前記筐体の内部に有し、前記画像を前記透光部材に投影する投影部である。
【請求項９】
請求項８に記載の表示装置であって、
前記発光部は、前記発光部が前記設置部に設置された位置から、前記透光部材が設置された前記設置部の面と対向する位置の方向に前記光を発光する。
【請求項１０】
請求項８または請求項９に記載の表示装置であって、
前記画像は、キャラクターに関する画像または人物に関連する画像を含み、
前記発光部は、前記キャラクターに関する画像の足元または前記人物に関する画像の足元から前記光を発光する。
【請求項１１】
請求項８から請求項１０のいずれか一項に記載の表示装置であって、
前記画像は、キャラクターに関する画像または人物に関する画像を含み、
前記投影部は、前記キャラクターに関する画像または前記人物に関する画像に基づく影を投影する。
【請求項１２】
請求項８から請求項１１のいずれか一項に記載の表示装置であって、
前記筐体は、前記投影部を内部に有する。
【請求項１３】
請求項８から請求項１２のいずれか一項に記載の表示装置であって、
前記投影部は、前記筐体のうち、前記透光部材が設置される前記設置部の面と対向する側に設置される。
【請求項１４】
請求項８から請求項１３のいずれか一項に記載の表示装置であって、
前記投影部から出射された光を反射し、前記透明部材に前記画像を投影する反射部と、
前記透明部材に対する前記反射部の角度を調整し、前記透明部材に投影される前記画像の投影位置を調整する調整部とをさらに備える。
【請求項１５】
請求項１から請求項１４のいずれか一項に記載の表示装置であって、
前記設置部は、少なくとも台座を含む。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００１
【補正方法】変更
【補正の内容】
【０００１】
本発明は、表示装置に関する。
【手続補正４】
【補正対象書類名】明細書
【補正対象項目名】０００５
【補正方法】変更
【補正の内容】
【０００５】
本発明は、以上のような事情に鑑みなされたものであり、３次元の仕切られた空間の中にキャラクター等の表示対象を所定の方法で表示することで、表示対象を、より立体的で同じ空間にいる実体物のように認識させることが可能な表示装置の提供を目的とする。
【手続補正５】
【補正対象書類名】明細書
【補正対象項目名】０００６
【補正方法】変更
【補正の内容】
【０００６】
上記目的を達成するため、本発明の表示装置は、画像を表示する表示装置であって、設置部を含み、少なくとも一部に透光性を有する筐体と、前記筐体の内部に有し、前記設置部に設置された透光性を有する透光性部材と、前記透光性部材に前記画像を表示する表示部と、前記設置部に設置された、光を発光する発光部とを備える構成としてある。
【手続補正６】
【補正対象書類名】明細書
【補正対象項目名】０００７
【補正方法】変更
【補正の内容】
【０００７】
本発明の表示装置によれば、表示対象を、より立体的で同じ空間にいる実体物のように表示することができる。
【手続補正書】
【提出日】平成31年4月15日(2019.4.15)
【手続補正１】
【補正対象書類名】特許請求の範囲
【補正対象項目名】請求項１
【補正方法】変更
【補正の内容】
【請求項１】
蒸気圧縮式の冷凍サイクル装置に適用されるエジェクタモジュールであって、
冷媒の流れを分岐する分岐部（１４）と、
前記分岐部（１４）にて分岐された一方の前記冷媒を減圧させて噴射するノズル部（１５ａ）と、
前記分岐部（１４）にて分岐された他方の前記冷媒を減圧させる減圧部（２０ａ）と、
前記ノズル部から噴射された噴射冷媒の吸引作用によって外部から前記冷媒を吸引する冷媒吸引口（２１ｂ）、および前記噴射冷媒と前記冷媒吸引口から吸引された吸引冷媒との混合冷媒を昇圧させる昇圧部（１５ｃ）が設けられたボデー部（２１）と、
前記ノズル部の通路断面積および前記減圧部の通路断面積の双方を変化させる弁体部（２２）と、
前記弁体部を変位させる駆動機構部（２３）と、を備え、
前記駆動機構部は、冷媒の温度および圧力の少なくとも一方の変化に応じて変形する変形部材（２３ｂ）を有する機械的機構で構成されているエジェクタモジュール。
【手続補正２】
【補正対象書類名】特許請求の範囲
【補正対象項目名】請求項２
【補正方法】変更
【補正の内容】
【請求項２】
蒸気圧縮式の冷凍サイクル装置に適用されるエジェクタモジュールであって、
冷媒の流れを分岐する分岐部（１４）と、
前記分岐部（１４）にて分岐された一方の前記冷媒を減圧させて噴射するノズル部（１５ａ）と、
前記分岐部（１４）にて分岐された他方の前記冷媒を減圧させる減圧部（２０ａ）と、
前記ノズル部から噴射された噴射冷媒の吸引作用によって外部から前記冷媒を吸引する冷媒吸引口（２１ｂ）、および前記噴射冷媒と前記冷媒吸引口から吸引された吸引冷媒との混合冷媒を昇圧させる昇圧部（１５ｃ）が設けられたボデー部（２１）と、
前記ノズル部の通路断面積および前記減圧部の通路断面積の双方を変化させる弁体部（２２）と、
前記ノズル部および前記減圧部を変位させる駆動機構部（２３）と、を備え、
前記駆動機構部は、冷媒の温度および圧力の少なくとも一方の変化に応じて変形する変形部材（２３ｂ）を有する機械的機構で構成されているエジェクタモジュール。
【手続補正３】
【補正対象書類名】明細書
【補正対象項目名】００１４
【補正方法】変更
【補正の内容】
【００１４】
上記目的を達成するため、請求項１に記載の発明は、蒸気圧縮式の冷凍サイクル装置に適用されるエジェクタモジュールであって、
冷媒の流れを分岐する分岐部（１４）と、分岐部（１４）にて分岐された一方の冷媒を減圧させて噴射するノズル部（１５ａ）と、分岐部（１４）にて分岐された他方の冷媒を減圧させる減圧部（２０ａ）と、ノズル部から噴射された噴射冷媒の吸引作用によって外部から冷媒を吸引する冷媒吸引口（２１ｂ）、および噴射冷媒と冷媒吸引口から吸引された吸引冷媒との混合冷媒を昇圧させる昇圧部（１５ｃ）が形成されたボデー部（２１）と、ノズル部の通路断面積および減圧部の通路断面積の双方を変化させる弁体部（２２）と、弁体部を変位させる駆動機構部（２３）と、を備え、
駆動機構部は、冷媒の温度および圧力の少なくとも一方の変化に応じて変形する変形部材（２３ｂ）を有する機械的機構で構成されているエジェクタモジュールである。
【手続補正４】
【補正対象書類名】明細書
【補正対象項目名】００２０
【補正方法】変更
【補正の内容】
【００２０】
また、請求項２に記載の発明では、蒸気圧縮式の冷凍サイクル装置に適用されるエジェクタモジュールであって、
冷媒の流れを分岐する分岐部（１４）と、分岐部（１４）にて分岐された一方の冷媒を減圧させて噴射するノズル部（１５ａ）と、分岐部（１４）にて分岐された他方の冷媒を減圧させる減圧部（２０ａ）と、ノズル部から噴射された噴射冷媒の吸引作用によって外部から冷媒を吸引する冷媒吸引口（２１ｂ）、および噴射冷媒と冷媒吸引口から吸引された吸引冷媒との混合冷媒を昇圧させる昇圧部（１５ｃ）が形成されたボデー部（２１）と、ノズル部の通路断面積および減圧部の通路断面積の双方を変化させる弁体部（２２）と、ノズル部および減圧部を変位させる駆動機構部（２３）と、を備え、
駆動機構部は、冷媒の温度および圧力の少なくとも一方の変化に応じて変形する変形部材（２３ｂ）を有する機械的機構で構成されているエジェクタモジュールである。
【手続補正５】
【補正対象書類名】明細書
【補正対象項目名】０１１８
【補正方法】変更
【補正の内容】
【０１１８】
また、エジェクタモジュール２０１の駆動機構部２３では、ノズル部１５ａの中心軸方向から見たときに円形状に形成されたケース２３ｃおよびダイヤフラム２３ｂを採用している。さらに、封入空間２３ｄがダイヤフラム２３ｂよりも、ノズル部１５ａから遠い側に配置されている。また、オリフィス部材２５は、ダイヤフラム２３ｂのノズル部１５ａ側の面に連結されている。
【手続補正６】
【補正対象書類名】明細書
【補正対象項目名】０１３１
【補正方法】変更
【補正の内容】
【０１３１】
（第３実施形態）
本実施形態では、第１実施形態に対して、図４に示すエジェクタモジュール２０２を採用した例を説明する。エジェクタモジュール２０２では、第２実施形態と同様に、ノズル部１５ａの中心軸方向から見たときに円形状に形成されたケース２３ｃおよびダイヤフラム２３ｂを有する駆動機構部２３を採用している。